(57)【要約】【課題】自装置の揺動により発生した画角の変化を事後的に回復することができる撮像装置を提供することを目的とする。【解決手段】被写体の光学画像を生成する光学系１０と、前記光学系１０の倍率を変化させる光学ズーム手段１０ｃと、前記光学画像を画像信号に変換する撮像素子１０ｅと、前記画像信号の一部を切り出す切出し手段１５と、前記画像信号に基づく画像データを記録する記録手段１１と、自装置の揺動を検出する揺動検出手段１２と、前記揺動検出手段１２が自装置の揺動を検出したときに、前記光学系１０の倍率が小さくなるよう前記光学ズーム手段１０ｃを制御し、前記光学系１０の倍率の変化を打ち消すよう前記切出し手段１５の切出し範囲を設定し、前記画像信号の全部に基づく画像データと前記切出し手段によって切り出された前記画像信号の一部に基づく画像データを前記記録手段１１に記録させる制御手段１３と、を備える、ことを特徴とする。【選択図】図１
2011101076.tif 000002
【特許請求の範囲】
【請求項１】
被写体の光学画像を生成する光学系と、
前記光学系の倍率を変化させる光学ズーム手段と、
前記光学画像を画像信号に変換する撮像素子と、
前記画像信号の一部を切り出す切出し手段と、
前記画像信号に基づく画像データを記録する記録手段と、
自装置の揺動を検出する揺動検出手段と、
前記揺動検出手段が自装置の揺動を検出したときに、前記光学系の倍率が小さくなるよう前記光学ズーム手段を制御し、前記光学系の倍率の変化を打ち消すよう前記切出し手段の切出し範囲を設定し、前記画像信号の全部に基づく画像データと前記切出し手段によって切り出された前記画像信号の一部に基づく画像データを前記記録手段に記録させる制御手段と、
を備える、
ことを特徴とする撮像装置。
【請求項２】
前記画像信号に基づく画像を表示する表示手段を、
さらに備え、
前記制御手段は、
前記表示手段に前記切出し手段によって切り出された前記画像信号の一部に基づく画像を表示させる、
ことを特徴とする請求項１に記載の撮像装置。
【請求項３】
操作入力を受け付ける操作手段を、
さらに備え、
前記制御手段は、
前記操作入力に基づいて前記画像信号の全部に基づく画像データから前記画像信号の一部に基づく画像データと異なる新たな前記画像信号の一部に基づく画像データを前記切出し手段に切り出させる、
ことを特徴とする請求項１または請求項２に記載の撮像装置。
【請求項４】
前記新たな前記画像信号の一部に基づく画像データは、
前記画像信号の一部に基づく画像データと大きさが同じで前記画像信号の全部に基づく画像データ上の位置が異なる、
ことを特徴とする請求項３に記載の撮像装置。
【請求項５】
前記新たな前記画像信号の一部に基づく画像データは、
前記画像信号の一部に基づく画像データとアスペクトが異なる、
ことを特徴とする請求項３に記載の撮像装置。
【発明の詳細な説明】
【技術分野】
【０００１】
本発明は、画像データを生成する撮像装置に関するものであり、より詳しくは、撮影時の自装置の搖動による失敗撮影を事後的に回復することができる撮像装置に関するものである。
【背景技術】
【０００２】
手振れ補正に関する技術として、特許文献１がある。特許文献１に記載の手振れ補正装置は、光学的に画像を縮小するとともに、縮小した画像を電気的に切り出して出力することにより、簡易かつ確実に手振れを補正することができる。
【先行技術文献】
【特許文献】
【０００３】
【特許文献１】特開平４−０７４０７０号公報
【発明の概要】
【発明が解決しようとする課題】
【０００４】
しかし、特許文献１に記載の手振れ補正装置では、手振れを簡易かつ確実に補正することができるものの、撮像装置の揺動により発生した画角の変化を回復することができない。
【０００５】
本発明は、前記課題を解決し、自装置の揺動により発生した画角の変化を事後的に回復することができる撮像装置を提供することを目的とする。
【課題を解決するための手段】
【０００６】
前記課題を解決するために、本発明の撮像装置は、被写体の光学画像を生成する光学系と、前記光学系の倍率を変化させる光学ズーム手段と、前記光学画像を画像信号に変換する撮像素子と、前記画像信号の一部を切り出す切出し手段と、前記画像信号に基づく画像データを記録する記録手段と、自装置の揺動を検出する揺動検出手段と、前記揺動検出手段が自装置の揺動を検出したときに、前記光学系の倍率が小さくなるよう前記光学ズーム手段を制御し、前記光学系の倍率の変化を打ち消すよう前記切出し手段の切出し範囲を設定し、前記画像信号の全部に基づく画像データと前記切出し手段によって切り出された前記画像信号の一部に基づく画像データを前記記録手段に記録させる制御手段と、を備える、ことを特徴とする。
【０００７】
これによって、画像信号の一部に基づく画像データを観察することで、自装置の揺動により発生した画角の変化を確認し、画像信号の一部に基づく画像データに不都合があるときは、画像信号の全部に基づく画像データを用いて画像信号の一部に基づく画像データの不都合を回復することができる。
【０００８】
また、本発明の撮像装置は、前記画像信号に基づく画像を表示する表示手段を、さらに備え、前記制御手段は、前記揺動検出手段が自装置の揺動を検出したときに、前記表示手段に前記切出し手段によって切り出された前記画像信号の一部に基づく画像を表示させる、ことを特徴とする。
【０００９】
これによって、揺動検出手段が自装置の揺動を検出したときに、画像信号の全部に基づく画像ではなく、切出し手段によって切り出された画像信号の一部に基づく画像を表示手段に表示させるので、表示手段に表示される画像の画角が変わることがない。
【発明の効果】
【００１０】
以上のように、本発明の撮像装置によれば、自装置の揺動により発生した画角の変化を事後的に回復することができるという効果を奏する。
【図面の簡単な説明】
【００１１】
【図１】本発明の実施例であるデジタルスチルカメラの構成を示すブロック図
【図２】本発明の実施例であるデジタルスチルカメラの背面斜視図
【図３】本発明の実施例であるデジタルスチルカメラの撮影動作を示すフローチャート
【図４】本発明の実施例であるデジタルスチルカメラの撮影動作を説明する第一の図
【図５】本発明の実施例であるデジタルスチルカメラの撮影動作を説明する第二の図
【図６】本発明の実施例であるデジタルスチルカメラのアスペクト変更を説明する図
【発明を実施するための形態】
【００１２】
（実施の形態）
本発明の実施例であるデジタルスチルカメラについて、図面を用いて詳細に説明する。
（１．構成）
図１は、本発明の実施例であるデジタルスチルカメラの構成を示すブロック図である。本発明の実施例であるデジタルスチルカメラは、構図を決定するための表示動作と撮影を行うための撮影動作とを行う。
【００１３】
まず、表示動作について説明する。表示動作とは、利用者が撮影に先立って構図を決めるために、撮像部１０に入射した被写体の光学画像を表示回路１９に接続された液晶ディスプレイ４０に連続的に表示する動作をいう。
【００１４】
撮像部１０は、対物レンズ１０ａ、ズームレンズ１０ｂ、フォーカスレンズ１０ｄからなる光学系と、ズームレンズ１０ｂを駆動する駆動回路１０ｃと、撮像素子１０ｅとから構成されている。ズームレンズ１０ｂは、駆動回路１０ｃと駆動機構（図示せず）によって光軸Ｏ−Ｏ’方向に駆動され、撮像素子１０ｅに入射する被写体の光学画像の倍率を変化させる。フォーカスレンズ１０ｄは、駆動回路（図示せず）と駆動機構（図示せず）によって光軸Ｏ−Ｏ’方向に駆動され、被写体の光学画像を撮像素子１０ｅに合焦させる。
【００１５】
撮像部１０は、入射した被写体の光学画像をＲＧＢ三原色に分解して画像信号であるデジタル化したＲＡＷデータに変換し、メインメモリ１１に書き込む。メインメモリ１１は、ＳＤＲＡＭ等の揮発性記憶素子で構成されている。画像処理回路１４は、メインメモリ１１からＲＡＷデータを読み出し、色空間変換を行ってＲＡＷデータをＹＣデータに変換し、メインメモリ１１に書き込む。表示回路１９は、メインメモリ１１からＹＣデータを読み出し、液晶ディスプレイ４０に出力する。液晶ディスプレイ４０には、被写体の動きがほぼリアルタイムで表示されるので、利用者は液晶ディスプレイ４０を見ながら構図を決めることができる。なお、本発明の実施例であるデジタルスチルカメラでは液晶ディスプレイ４０を採用したが、画像を表示することができる表示素子であればよい。例えば、有機ＥＬディスプレイ等を採用することもできる。
【００１６】
次に、撮影動作について説明する。撮影動作とは、利用者がシャッター釦４１を押したときに撮像部１０に入射した被写体の光学画像を画像データとして記憶媒体に記録する動作をいう。
【００１７】
制御回路１３は、マイコンにより構成してあり、本発明の実施例であるデジタルスチルカメラの全ての回路の監視と制御を行う。操作回路２０は、シャッター釦４１とモードダイヤル４２とズームレバー４３と十字キー４４が接続された入力回路である。制御回路１３は、操作回路２０の状態に従って撮影動作を制御する。
【００１８】
利用者は、モードダイヤル４２を回転させて、所望の撮影モードを選択する。撮影モードには、プログラムＡＥ、絞り優先ＡＥ、シャッター優先ＡＥ、マニュアル露出の各撮影モードがある。なお、これらの撮影モードの全てを有する必要はないし、これらの撮影モード以外の撮影モードを有していてもよい。
【００１９】
利用者によってシャッター釦４１が押されると、制御回路１３は、記録のためのＲＡＷデータをメインメモリ１１に書き込むよう撮像部１０を制御する。ここで、撮影動作において撮像部１０が出力するＲＡＷデータの画素数は、表示動作において撮像部１０が出力するＲＡＷデータの画素数と比較して圧倒的に多い。液晶ディスプレイ４０の画素数が数十万画素にとどまるのに対して、メモリカードに記録する画像データの画素数は、１０００万画素程度であるからである。
【００２０】
次に、制御回路１３は、メインメモリ１１から記録のためのＲＡＷデータ読み出し、ＹＣデータに変換し、メインメモリ１１に書き込むよう画像処理回路１４を制御する。次に、制御回路１３は、メインメモリ１１からＹＣデータを読み出し、圧縮ファイルに変換し、メインメモリ１１に書き込むよう圧縮伸張回路１７を制御する。また、制御回路１３は、メインメモリ１１からＹＣデータを読み出し、液晶ディスプレイ４０に所定の時間だけ出力するよう表示回路１９を制御する。液晶ディスプレイ４０には、撮影された画像が表示されるので、利用者は液晶ディスプレイ４０を見ながら撮影された画像のできばえを確認することができる。次に、制御回路１３は、メインメモリ１１から圧縮ファイルを読み出し、交換可能な記憶媒体（図示せず）に記録するよう記録回路１８を制御する。交換可能な記憶媒体としては、フラッシュメモリやハードディスクを内蔵したメモリカード等を使用することができる。
【００２１】
図２は、本発明の実施例であるデジタルスチルカメラの背面斜視図である。本発明の実施例であるデジタルスチルカメラの上面には、シャッター釦４１とズームレバー４３とが配されている。ズームレバー４３は、シャッター釦４１の中心を軸として回転可能である。ズームレバー４３を時計回りに回転させると撮像部１０内のズームレンズ１０ｂが駆動され、被写体の大きさを拡大することができる。一方、ズームレバー４３を反時計回りに回転させると撮像部１０内のズームレンズ１０ｂが駆動され、被写体の大きさを縮小することができる。
【００２２】
本発明の実施例であるデジタルスチルカメラの背面には、液晶ディスプレイ４０とモードダイヤル４２と十字キー４４とが配されている。十字キー４４は、撮影モード以外の設定に使用される。
【００２３】
揺動検出回路１２は、ジャイロを内蔵しており、本発明の実施例であるデジタルスチルカメラの揺動を検出する。本発明の実施例であるデジタルスチルカメラは、自装置の揺動の大きさが所定の大きさよりも大きいときに、撮像部１０が生成したＲＡＷデータの全部に基づく圧縮ファイルとその一部に基づく圧縮ファイルを両方とも交換可能な記憶媒体に記録する。以降、この動作を「二枚記録」と呼ぶ。
（２．動作）
図３は、本発明の実施例であるデジタルスチルカメラの撮影動作を示すフローチャートである。図４、図５は、本発明の実施例であるデジタルスチルカメラの撮影動作を説明する図である。本発明の実施例であるデジタルスチルカメラは、シャッター釦４１が押されると撮影動作を開始する。
【００２４】
シャッター釦４１が押されると、制御回路１３は、本発明の実施例であるデジタルスチルカメラの揺動の大きさを揺動検出回路１２から取得する（Ｓ６１）。揺動の大きさが所定の大きさよりも大きい場合は、二枚記録を行なうが、揺動の大きさが所定の大きさよりも小さい場合は、二枚記録を行わない。図３は、二枚記録を行う場合について記載している。
【００２５】
所定の大きさは、手振れによる一般的な揺動の大きさよりも少し大きい大きさに設定するのがよい。手振れによる一般的な揺動は、撮像部１０に備えられた図示しない手振れ補正レンズを光軸Ｏ−Ｏ’と垂直な平面内で手振れの方向と反対の方向に手振れの大きさを打ち消す量だけ移動させることで補正する技術が確立しているからである。また、撮像素子１０ｅを光軸Ｏ−Ｏ’と垂直な平面内で手振れの方向と同じ方向に手振れの大きさを打ち消す量だけ移動させることで手振れによる一般的な揺動を補正する技術も確立している。さらに、特許文献１に記載のように、手振れによる一般的な揺動を電子的に補正することもできる。一方、二枚記録は、画角の変化が問題となる程度の揺動が発生したときに行なえばよい。手振れ補正と二枚記録は、その目的を異にするのである。なお、所定の大きさは、利用者が適宜設定できるようにしてもよい。
【００２６】
図４（ａ）は、シャッター釦４１が押されたときに、液晶ディスプレイ４０に表示されていた画像５１を示す図である。３人の人物５３〜５５が表示されている。人物５３と人物５４の頭部の一部は、画像５１に収まっていない。ここでは、シャッター釦４１が押されることによって、本発明の実施例であるデジタルスチルカメラが下向きに揺動し、結果として人物５３と人物５４の頭部の一部が画像５１に収まらなかった場合を想定している。
【００２７】
なお、ここでは、人物の頭部の一部が画像に収まらなかった場合について説明するが、二枚記録は、流し撮りにおいて移動する被写体の全てを画像に収めることができなかった場合等に効果を発揮することが多いであろう。初心者である利用者にとって、デジタルスチルカメラを動かしながら移動する被写体の全てを画像に収めることは困難を伴う。そこで、後述するように、二枚記録によって事後的に被写体の全てを収めた画像が得られることは、初心者である利用者にとって大きなメリットとなる。
【００２８】
以下、切出し範囲変更を行う場合について説明する。制御回路１３は、撮像部１０内のズームレンズ１０ｂを駆動するよう駆動回路１０ｃを制御する（Ｓ６２）。これによって、被写体の大きさが縮小される。すなわち、画角が広くなる。画角を広くする程度は、揺動検出回路１２から取得した自装置の揺動の大きさに基づいて決定することが望ましい。自装置の揺動の大きさが大きい場合は、画角を広くする程度を大きくし、自装置の揺動の大きさが小さい場合は、画角を広くする程度を小さくする。これは、自装置の揺動の大きさが大きいほど、画角の変化により発生した不都合を回復するために必要となる余剰領域が大きくなると考えられるからである。一方、画角を広くする程度を必要以上に大きくすると、ズームレンズ１０ｂの駆動量が大きくなるので好ましくない。なお、画角を広くする程度を固定してもよいが、その場合は、画角を広くする程度を大きくして余裕をもたせておく必要がある。あるいは、利用者が画角を広くする程度を適宜設定できるようにしてもよい。ここで、ズームレンズ１０ｂの駆動は、ズームレバー４３の回転操作とはまったく無関係に行われる。
【００２９】
このとき、フォーカスレンズ１０ｄを駆動して、被写体の光学画像を撮像素子１０ｅに合焦させるオートフォーカス動作との関係が問題となる。ズームレンズ１０ｂを駆動してからフォーカスレンズ１０ｄを駆動してオートフォーカス動作を行なうことが望ましい。ズームレンズ１０ｂが駆動されると、画角、すなわち光学系の焦点距離が変化し、ピントがずれるからである。しかし、ピントのずれが実用上無視できるような場合もあると考えられる。例えば、被写界深度が深い場合や焦点距離の変化量が小さい場合である。ピントのずれが実用上無視できるような場合は、オートフォーカス動作を行ってからズームレンズ１０ｂを駆動することも考えられる。なお、フォーカスレンズ１０ｄがズームレンズ１０ｂの駆動に追従するフォーカストラッキング機能を備えている場合は、オートフォーカス動作を行ってからズームレンズ１０ｂを駆動しても問題はない。なお、以上の説明は、マニュアルフォーカスであっても同様である。
【００３０】
また、このとき、撮像部１０がメインメモリ１１に書き込んだＲＡＷデータの全部に基づく表示動作を継続したままズームレンズ１０ｂを駆動すると、液晶ディスプレイ４０によって画角の変化が利用者に認識される場合がある。利用者が画角の変化を認識しないようにするためには、電子ズーム回路１５による切出し処理をズームレンズ１０ｂの駆動と同時並行に行い、切出し処理が行なわれた画像を液晶ディスプレイ４０に表示することによって、見かけ上、画角の変化が現れないようにしてもよい。ただし、ここでのＲＡＷデータは、表示のためのＲＡＷデータであって、その画素数は、記録のためのＲＡＷデータの画素数と比較して圧倒的に少ない。
【００３１】
ズームレンズ１０ｂの駆動が完了すると、制御回路１３は、記録のためのＲＡＷデータの全部をメインメモリ１１に書き込むよう撮像部１０を制御する（Ｓ６３）。図４（ｂ）は、メインメモリ１１に書き込まれた記録のためのＲＡＷデータに基づく画像５７を示す図である。被写体である人物５３〜５５が、図４（ａ）と比較して縮小されていることが分かる。
【００３２】
次に、制御回路１３は、メインメモリ１１から記録のためのＲＡＷデータの全部を読み出し、ＹＣデータに変換し、メインメモリ１１に書き込むよう画像処理回路１４を制御する。
【００３３】
次に、制御回路１３は、メインメモリ１１から記録のためのＲＡＷデータの全部に基づくＹＣデータを読み出し、図４（ｂ）に示す切出し枠５６に従って切り出したＹＣデータを作成し、メインメモリ１１に書き込むよう電子ズーム回路１５を制御する（Ｓ６４）。ここで、切出し枠５６の画角は、シャッター釦４１が押され、撮像部１０内のズームレンズ１０ｂが駆動される前の光学系の画角と同じである。制御回路１３は、ズームレンズ１０ｂの駆動量から切出し枠５６の画角を演算で求める。このようにして、記録のためのＲＡＷデータの全部に基づくＹＣデータと図４（ｂ）に示す切出し枠５６に従って切り出されたＹＣデータの両方がメインメモリ１１に書き込まれる。
【００３４】
次に、制御回路１３は、メインメモリ１１から切出し枠５６に従って切り出されたＹＣデータを読み出し、これに基づく画像を液晶ディスプレイ４０に表示するよう表示回路１９を制御する（Ｓ６５）。このとき、制御回路１３は、図４（ｃ）に示すように、利用者に切出し範囲変更を行なうか否かを問い合わせるメッセージを切出し枠５６に従って切り出されたＹＣデータに基づく画像に重畳させて液晶ディスプレイ４０に表示するよう表示回路１９を制御する。
【００３５】
利用者は、十字キー４４を操作して「はい」または「いいえ」を選択することができる。利用者が「いいえ」を選択した場合、すなわち、切出し範囲変更を行わないことを選択した場合は、制御回路１３は、メインメモリ１１から図４（ｂ）に示す切出し枠５６に従って切り出されたＹＣデータを読み出し、圧縮ファイルに変換し、メインメモリ１１に書き込むように圧縮伸張回路１７を制御する。次に、制御回路１３は、メインメモリ１１から圧縮ファイルを読み出し、交換可能な記憶媒体に記録するよう記録回路１８を制御する（Ｓ６６）。このようにして、シャッター釦４１が押され、撮像部１０内のズームレンズ１０ｂが駆動される前の光学系の画角と同じ画角の圧縮ファイルが記憶媒体に記録される。そして、メインメモリ１１に書き込まれた記録のためのＲＡＷデータの全部に基づくＹＣデータは、消去される。図４（ｂ）に示す切出し枠５６に従って切り出されたＹＣデータに基づく画像に問題がなければこれでよい。
【００３６】
なお、図４（ｂ）に示す切出し枠５６に従って切り出されたＹＣデータに基づく画像に対していつでも切出し範囲変更ができるように、記録のためのＲＡＷデータの全部に基づくＹＣデータの圧縮ファイルも同時に交換可能な記憶媒体に記録することとしてもよい。また、図４（ｂ）に示す切出し枠５６に従って切り出されたＹＣデータの画素数は、記録のためのＲＡＷデータの全部に基づくＹＣデータの画素数よりも若干少ない。そこで、画素補間によって、図４（ｂ）に示す切出し枠５６に従って切り出されたＹＣデータの画素数を記録のためのＲＡＷデータの全部に基づくＹＣデータの画素数と同じにしてもよい。
【００３７】
図４（ｃ）において、利用者が「はい」を選択した場合、すなわち、切出し範囲変更を行うことを選択した場合は、制御回路１３は、メインメモリ１１から記録のためのＲＡＷデータの全部に基づくＹＣデータを読み出し、これに基づく画像を液晶ディスプレイ４０に表示するよう表示回路１９を制御する（Ｓ６７）。このとき、制御回路１３は、図５（ａ）に示すように、図４（ｂ）に示す切出し枠５６をＲＡＷデータの全部に基づくＹＣデータに基づく画像に重畳させて液晶ディスプレイ４０に表示するよう表示回路１９を制御する。さらに、制御回路１３は、図５（ａ）に示すように、利用者に切出し範囲を決定するよう促すメッセージをＲＡＷデータの全部に基づくＹＣデータに基づく画像に重畳させて液晶ディスプレイ４０に表示するよう表示回路１９を制御する。
【００３８】
利用者は、十字キー４４を操作して図４（ｂ）に示す切出し枠５６を上下左右に移動させることができる。図５（ａ）では、人物５３と人物５４の頭部の一部が、切出し枠５６に収まっていない。そこで、利用者は、十字キー４４の上キーを操作して図４（ｂ）に示す切出し枠５６を上へ移動させる。図４（ｂ）に示す切出し枠５６を移動させることで、図５（ｂ）では、人物５３と人物５４の頭部が全て切出し枠５６に収まっている。利用者は、図５（ｂ）に示す切出し枠５６の位置が適当であると判断すると、切出し枠５６の位置を決定する（Ｓ６８）。切出し枠５６の位置の決定は、シャッター釦４１を押すことによって行なってもよいし、図示しないその他の操作部材を用いて行なってもよい。
【００３９】
利用者が切出し枠５６の位置を決定すると、制御回路１３は、メインメモリ１１から記録のためのＲＡＷデータの全部に基づくＹＣデータを読み出し、図５（ｂ）に示す切出し枠５６に従って切り出したＹＣデータを作成し、メインメモリ１１に書き込むよう電子ズーム回路１５を制御する（Ｓ６９）。
【００４０】
次に、制御回路１３は、メインメモリ１１から図５（ｂ）に示す切出し枠５６に従って切り出されたＹＣデータを読み出し、圧縮ファイルに変換し、メインメモリ１１に書き込むように圧縮伸張回路１７を制御する。次に、制御回路１３は、メインメモリ１１から圧縮ファイルを読み出し、交換可能な記憶媒体に記録するよう記録回路１８を制御する。このようにして、本発明の実施例であるデジタルスチルカメラの揺動により発生した画角の変化を事後的に回復した画角の圧縮ファイルが記憶媒体に記録される。そして、メインメモリ１１に書き込まれた記録のためのＲＡＷデータの全部に基づくＹＣデータと図４（ｂ）に示す切出し枠５６に基づくＹＣデータは、消去される。このとき、制御回路１３は、図５（ｃ）に示すように、図５（ｂ）に示す切出し枠５６に従って切り出されたＹＣデータに基づく画像を液晶ディスプレイ４０に表示するよう表示回路１９を制御してもよい。
【００４１】
なお、図５（ｂ）に示す切出し枠５６に従って切り出されたＹＣデータに基づく画像に対して再度切出し範囲変更ができるように、記録のためのＲＡＷデータの全部に基づくＹＣデータの圧縮ファイルも同時に交換可能な記憶媒体に記録することとしてもよい。また、図５（ｂ）に示す切出し枠５６に従って切り出されたＹＣデータの画素数は、記録のためのＲＡＷデータの全部に基づくＹＣデータの画素数よりも若干少ない。そこで、画素補間によって、図５（ｂ）に示す切出し枠５６に従って切り出されたＹＣデータの画素数を記録のためのＲＡＷデータの全部に基づくＹＣデータの画素数と同じにしてもよい。
【００４２】
以上に説明したように、本発明の実施例であるデジタルスチルカメラは、自装置の揺動により発生した画角の変化を事後的に回復することができる。
（３．その他）
本発明の実施例であるデジタルスチルカメラは、切出し範囲変更に加えて、事後的に画像のアスペクトを変更することもできる。図６は、アスペクト変更を説明する図である。図６（ａ）は、メインメモリ１１に書き込まれた記録のためのＲＡＷデータに基づく画像５７を示す図である。ここで、切出し枠５６の画角は、シャッター釦４１が押され、撮像部１０内のズームレンズ１０ｂが駆動される前の光学系の画角と同じである。
【００４３】
図６（ｂ）は、切出し枠５６の画角を横方向にメインメモリ１１に書き込まれた記録のためのＲＡＷデータに基づく画像の横幅一杯まで広げた状態を示す。また、図６（ｃ）は、切出し枠５６の画角を縦方向にメインメモリ１１に書き込まれた記録のためのＲＡＷデータに基づく画像の高さ一杯まで広げた状態を示す。
【００４４】
なお、切出し枠５６の画角のアスペクトは、メインメモリ１１に書き込まれた記録のためのＲＡＷデータに基づく画像の範囲内で自由に変更できることはいうまでもない。さらに、このような自由なアスペクト変更に加えて、規定のアスペクト、例えば、１：１、３：２、４：３、１６：９等が選べるように構成してもよい。規定のアスペクトが選べるように構成する場合は、撮影時のズームレンズ１０ｂの駆動量を各種アスペクトの選択が可能な程度に大きくすればよい。さらに、切出し範囲変更とアスペクト変更の両方が可能なように構成してもよい。
【００４５】
以上に説明したように、本発明の実施例であるデジタルスチルカメラは、画像のアスペクトを事後的に変更することが可能である。
【産業上の利用可能性】
【００４６】
本発明によれば、自装置の揺動により発生した画角の変化を事後的に回復することができるので、デジタルスチルカメラ、デジタルビデオカメラ等の撮像装置に適用することができる。
【符号の説明】
【００４７】
１０    撮像部
１０ａ    対物レンズ
１０ｂ    ズームレンズ
１０ｃ    駆動回路
１０ｄ    フォーカスレンズ
１０ｅ    撮像素子
１１    メインメモリ
１２    揺動検出回路
１３    制御回路
１４    画像処理回路
１５    電子ズーム回路
１７    圧縮伸張回路
１８    記録回路
１９    表示回路
２０    操作回路
４０    液晶ディスプレイ
４１    シャッター釦
４２    モードダイヤル
４３    ズームレバー
４４    十字キー
５１    画像
５３〜５５    人物
５６    切出し枠
５７    画像
【図１】
2011101076.tif 000003
【図２】
2011101076.tif 000004
【図３】
2011101076.tif 000005
【図４】
2011101076.tif 000006
【図５】
2011101076.tif 000007
【図６】
2011101076.tif 000008